(57)【要約】【課題】光信号伝送能を高周波側に延ばす構造が採用された光伝送モジュールを提供する。【解決手段】光伝送モジュール１０は、拡散板１１と光ファイバ１２を備えている。光ファイバ１２は、入射端１２１と出射端１２２とを有する。拡散板１１は、光ファイバ１２の入射端１２１（または光ファイバ１２の途中位置）に配置されている。そして、この光伝送モジュール１０は、拡散板１１を配置しない場合と比べ、光信号伝送能が高周波側に延びている。【選択図】図１
2018189845.tif 000002
【特許請求の範囲】
【請求項１】
入射端と出射端とを有する導光体と、該導光体の入射端または該導光体の途中位置に配置された、光信号伝送能を高周波側に延ばす拡散板とを備えたことを特徴とする光伝送モジュール。
【請求項２】
前記導光体が、さらに光コネクタを備えていることを特徴とする請求項１に記載の光伝送モジュール。
【請求項３】
前記導光体が、ステップインデックス型マルチモード光ファイバであることを特徴とする請求項１または２に記載の光伝送モジュール。
【発明の詳細な説明】
【技術分野】
【０００１】
本発明は、入射された信号光を伝送する光伝送モジュールに関する。
【背景技術】
【０００２】
光信号を伝送するための、光ファイバ等の導光体として、種々のタイプのものが開発されて利用に供せられている。ここで、光信号伝送用として高周波信号まで伝送することができる高性能な導光体も知られている。ただし、そのような高性能な導光体は一般的に高価である。そこで、比較的安価な導光体を採用しながら高周波信号まで伝送することの可能性が追及されている。
【０００３】
特許文献１には、光導波路から得られた光を位相補償板を用いてガウス分布に近づくまで集光する集光光学系が開示されている。しかしながら、この特許文献１には、光信号伝送能を高周波側に延ばす点については何ら開示されていない。
【先行技術文献】
【特許文献】
【０００４】
【特許文献１】特開平８−５４６５８号公報
【発明の概要】
【発明が解決しようとする課題】
【０００５】
本発明は、上記事情に鑑み、光信号伝送能を高周波側に延ばす構造が採用された光伝送モジュールを提供することを目的とする。
【課題を解決するための手段】
【０００６】
上記目的を達成する本発明の光伝送モジュールは、入射端と出射端とを有する導光体と、導光体の入射端または導光体の途中位置に配置された、光信号伝送能を高周波側に延ばす拡散板とを備えたことを特徴とする。
【０００７】
ここで、本発明の光伝送モジュールにおいて、上記導光体が、さらに光コネクタを備えていてもよい。
【０００８】
安価な導光体を採用すると、その導光体に入射した信号光は、その導光体内を進行している途中でそのプロファイルが徐々に変化し、その変化に応じて、光信号、特に高周波信号が劣化してくる。導光体の途中位置に光コネクタを配置するとその光コネクタによってもプロファイルが変化し、高周波信号の劣化が進む。
【０００９】
本発明の発明者は、実験により、拡散板で光のプロファイルを大きく広げて、そのプロファイルが広がった光を導光体で伝送させると、高周波信号の劣化が抑えられることを見い出した。すなわち、本発明によれば、光信号伝送能が高周波側に延びた光伝送モジュールとなる。
【００１０】
本発明の光伝送モジュールでは、上記導光体として、ステップインデックス型マルチモード光ファイバが好適に採用される。
【００１１】
ステップインデックス型マルチモード光ファイバは、比較的安価である。本発明の光伝送モジュールによれば、この比較的安価なステップインデックス型マルチモード光ファイバを採用して、光信号伝送能を高周波側に延ばすことができる。
【発明の効果】
【００１２】
以上の本発明によれば、光信号伝送能が高周波側に延びた光伝送モジュールを提供することができる。
【図面の簡単な説明】
【００１３】
【図１】本発明の第１実施形態の光伝送モジュールの原理説明図である。
【図２】図１に原理説明図を示した光伝送モジュールの模式図である。
【図３】本発明の第２実施形態の光伝送モジュールの原理説明図である。
【図４】図３に原理説明図を示した光伝送モジュールの模式図である。
【図５】光伝送モジュールの入射光および出射光のプロファイルを示した図である。
【図６】光伝送モジュールの周波数特性を示した図である。
【発明を実施するための形態】
【００１４】
以下、本発明の実施の形態について説明する。
【００１５】
図１は、本発明の第１実施形態の光伝送モジュールの原理説明図である。
【００１６】
この図１に示す光伝送モジュール１０は、拡散板１１と光ファイバ１２とを備えている。ここで、光ファイバ１２は、本発明にいう導光体の一例であって、入射端１２１と出射端１２２とを有する。本実施形態では、光ファイバ１２として、長さ１．２ｍのものが採用されている。また、本実施形態では、光ファイバ１２として、ステップインデックス型マルチモード光ファイバが採用されている。
【００１７】
拡散板１１は、本実施形態では、光ファイバ１２の入射端１２１に配置されている。この拡散板１１としては、大きな拡散角度を有する拡散板が望ましい。本実施形態では、拡散角度６０°の拡散板が採用されている。
【００１８】
また、この図１には、光源２１と集光光学系２２が示されている。光源２１からは、光の変調により情報を担持した信号光が出射する。集光光学系２２は、光源２１からの出射光を集光し拡散板１１を介して光ファイバ１２に、その入射端１２１から入射させる。この集光光学系２２は開口数（ＮＡ）が大きいことが好ましく、ここでは開口数０．４の集光光学系が採用されている。
【００１９】
図２は、図１に原理説明図を示した光伝送モジュールの模式図である。
【００２０】
図１にも示した拡散板１１と光ファイバ１２は、一体の光伝送モジュール１０として構成される。この光伝送モジュール１０に上記の収束光を入射すると、拡散板１１が配置されていない場合と比べ、光ファイバ１２内を進行する信号光の高周波側の周波数特性の劣化が抑えられる。
【００２１】
図３は、本発明の第２実施形態の光伝送モジュールの原理説明図である。ここでは、図１に示した第１実施形態の光伝送モジュール１０との相違点を中心に説明する。
【００２２】
この図３に示す光伝送モジュール３０は、拡散板３１と、光ファイバ３２と、光コネクタ３３とを備えている。ここで、光ファイバ３２は、本発明にいう導光体の一例であって、入射端３２１と出射端３２２とを有する。本実施形態では、光ファイバ３２として、図１に示した第１実施形態の場合と同様、ステップインデックス型マルチモード光ファイバが採用されている。また、拡散板３１も、図１に示した第１実施形態における拡散板１１と同様、拡散角度６０°の拡散板が採用されている。この拡散板３１は光コネクタ３３内に配置されている。すなわち、この光ファイバ３１は、その途中が、拡散板３１が配置された光コネクタ３３で接続されている。
【００２３】
また、この図３には、図１と同様、光源２１と集光光学系２２が示されている。
【００２４】
ここで、この第２実施形態の場合、拡散板３１は、光ファイバ３２の途中位置に配置されている。このため、集光光学系２２は、光源２１からの信号光を光ファイバ３２の入射端３２１から光ファイバ３２に効率よく入射させることができればよく、大きなＮＡを有している必要はない。
【００２５】
図４は、図３に原理説明図を示した光伝送モジュールの模式図である。
【００２６】
図３に示した拡散板３１と光ファイバ３２と光コネクタ３３は、一体の光伝送モジュール３０として構成される。この光伝送モジュール３０の入射端３２１から光を入射すると、拡散板３１によりそのプロファイルが広げられ、光信号伝送能が高周波側に延びた信号光が伝送される。
【００２７】
図５は、光伝送モジュールの入射光および出射光のプロファイルを示した図である。
【００２８】
この図５において、横軸は放射角度（°）、縦軸はＥＡＦ（Ｅｎｃiｒｃｌｅｄ  Ａｎｇｕｌａｒ  Ｆｌｕｘ）である。このＥＡＦは、光ビームの、横軸に示す放射角度（°）以内に、その光ビームの何割の光強度が含まれているかを示す指標である。
【００２９】
グラフａは、光源からの出射光、すなわち光伝送モジュールへの入射光のＥＡＦを示している。また、グラフｂは、光ファイバ３２からの出射光のＥＡＦである。ただし、このグラフｂの場合、図３に示す光伝送モジュール３０を構成する光コネクタ３３から拡散板３１が取り外されている。ここでは、長さ２ｍの光ファイバ３２が採用されている。このグラフｂは、本発明に対する比較例に相当する。このグラフｂに示すように、拡散板３１が配置されていないと、光ファイバ３２への入射光は、その光ファイバ３２内を進行する間にそのプロファイルが大きく変化する。
【００３０】
グラフｃは、図３に示す、拡散板３１が配置された光コネクタ３３を備えた光伝送モジュール３０の出射光のＥＡＦである。すなわち、このグラフｃは、本発明の実施例に相当する。このグラフｃに示すように、拡散板３１が配置されていると、光ファイバ３２からの出射光は、グラフａに示す入射光のプロファイルに近似したプロファイルを保っている。
【００３１】
図６は、光伝送モジュールの周波数特性を示した図である。
【００３２】
この図６において、横軸は周波数（ＭＨｚ）、縦軸は減衰率（ｄＢ）である。すなわち、この図６は、光ファイバに入射した信号光がその光ファイバ内を進行した結果、その信号光がどの程度減衰するかを周波数別に示した図である。ここでは、図３に示した態様の光伝送モジュールであって、長さ１．２ｍの光ファイバを採用している。
【００３３】
グラフｂは、光コネクタ３３から拡散板３１を取り外し、拡散板３１を取り外した光コネクタ３３で光ファイバ３２を接続したときの周波数特性を示している。このグラフｂは、図５に示したグラフｂと同様、本発明に対する比較例に相当する。
【００３４】
グラフｃは、図３に示す、拡散板３１が配置された光コネクタ３３を備えた光伝送モジュール３０の周波数特性を示している。すなわち、このグラフｃは、本発明の実施例に相当する。ここでは、減衰率−３ｄＢを目安にしてグラフｃをグラフｂと比較する。この比較により、拡散板３１が配置されていると、光信号伝送能が１００ＭＨｚ以上、高周波側に延びていることが分かる。
【００３５】
このように、図３，図４に示した光伝送モジュール３０は、拡散板３１に配置により、光信号伝送能が高周波側に延びた光伝送モジュールとなっている。図１，図２に示した光伝送モジュール１０の場合も同様である。
【符号の説明】
【００３６】
１０,３０  光伝送モジュール
１１，３１  拡散板
２１  光源
２２  集光光学系
１２１,３２１  入射端
１２２，３２２  出射端
【図１】
2018189845.tif 000003
【図２】
2018189845.tif 000004
【図３】
2018189845.tif 000005
【図４】
2018189845.tif 000006
【図５】
2018189845.tif 000007
【図６】
2018189845.tif 000008